(57)【特許請求の範囲】
【請求項１】
用紙（４）を搬送可能な紙送りローラ（１）と、この紙送りローラ（１）に圧接する圧接ローラ（２）と、前記用紙（４）を前記紙送りローラ（１）との間に案内可能な案内面（３ａ）を有する紙ガイド（３）とを備えた紙送り機構であって、
前記紙送りローラ（１）は、その外周面に複数の突起を有するグリップ部（１ａ）と前記突起の形成されてない非グリップ部（１ｂ）とが軸方向に交互に複数形成されるとともに、前記グリップ部（１ｂ）の外径より小さく形成され、前記ガイド部（３）は、前記紙送りローラ（１）の用紙搬送方向上流側に配置されるとともに、前記非グリップ部（１ｂ）と対向する部分の前記案内面（３ａ）を前記グリップ部（１ｂ）と対向する部分の前記案内面（３ａ）よりも前記紙送りローラ（１）側に近接するように突出させた突出部（３ｂ）を有し、この突出部（３ｂ）の先端部（３ｃ）が前記突起の頂部から外方に突出しないように配設したことを特徴とするプリンタの紙送り機構。
【請求項２】
前記ガイド部（３）は、基部（６）と前記案内面（７ａ）を有する薄板状の部材（７）とで構成され、前記基部（６）の上面に前記薄板状の部材（７）を貼付し、前記薄板状の部材（７）の前記非グリップ部（１ｂ）と対向する部分に前記突出部（７ｂ）を形成したことを特徴とする請求項１記載のプリンタの紙送り機構。
【請求項３】
前記ガイド部（３）の前記案内面（３ａ）には、前記用紙（４）を前記案内面（３ａ）から浮かせた状態で指示する支持部（３ｄ）を有し、この支持部（３ｄ）は前記用紙（４）の搬送方向にすじ状に突出して複数形成したことを特徴とする請求項１、又は２記載のプリンタの紙送り機構。
【発明の詳細な説明】
【０００１】
【発明の属する技術分野】
本発明はプリンタの紙送り機構に係わり、特に紙ガイドを有するプリンタの紙送り機構に関する。
【０００２】
【従来の技術】
従来のプリンタの紙送り機構は、図６、７に示すように、円柱状の紙送りローラ１１が配設され、この紙送りローラ１１は、外周面に複数の微細な突起１１ａが形成されている。
また、突起１１ａが形成された部分の紙送りローラ１１の外周部の一部には、圧接ローラ１２が圧接状態で配設されている。
また、紙送りローラ１１の突起１１ａの外周近傍で、突起１１ａとは所定の隙間を有して紙ガイド１３が配設されている。この紙ガイド１３は上部に平坦状の案内面１３ａを有し、この案内面１３ａ上に位置した用紙１４を、紙送りローラ１１と圧接ローラ１２との間に給紙可能になっている。
【０００３】
前記給紙ローラ（図示せず）によって、紙ガイド１３の案内面１３ａを矢印Ｃの用紙搬送方向に自動給紙された用紙１４は、前端部１４ａが圧接ローラ１２の外周面に当接する（図示せず）。
この状態から、紙送りローラ１１を図示時計回り方向に回転させると、紙送りローラ１１の突起１１ａが用紙１４に喰い込み、前端部１４ａが紙送りローラ１１と圧接ローラ１２との間に圧接狭持される。
【０００４】
そして、用紙１４は、紙送りローラ１１の時計回り方向の回転で、矢印Ｃの用紙搬送方向の紙送りローラ１１の下流側の印刷手段（図示せず）まで搬送することができる。
前記用紙ガイド１３は、カラー印刷等を行うときに、用紙１４を矢印Ｃの用紙搬送方向と反対方向に戻す、バックフィードの動作を考慮して、案内面１３ａが紙送りローラ１１の突起１１ａ頂部が形成する外周円の水平方向の接線１１ｂより若干下がった位置に配設されている。
【０００５】
このような従来のプリンタの紙送り機構は、給紙ローラ（図示せず）によって紙送りローラ１１に自動給紙されてくる用紙１４を紙送りローラ１１と圧接ローラ１２との間に圧接狭持する。
そして、紙送りローラ１１の外周面に形成した複数の突起１１ａが用紙１４に喰い込んで、用紙１４を確実に印刷手段側にスリップすることなく高精度に搬送することができる。
また、従来のプリンタの紙送り機構は、給紙ローラ（図示せず）による自動給紙だけでなく、操作者が手差しで紙送りローラ１１に給紙することもできるようになっている。
【０００６】
【発明が解決しようとする課題】
しかし、用紙１４の前端部１４ａは、全てが平坦とはいえず、例えば微小に波打っているものもあり、このような用紙１４を紙送りローラ１１に給紙すると、図６に示すように、微小に波打った前端部１４ａが突起１１ａにぶつかって、用紙１４の前端部１４ａを圧接ローラ１２に当接する所まで送れないことがある。
特に、操作者の手作業による手差し給紙する場合は、微小に波打った前端部１４ａが突起１１ａにぶつかった時に用紙搬送負荷が大きくなり、用紙１４の前端部１４ａが圧接ローラ１２まで到達したものと操作者が勘違いして、矢印Ｃ方向に押し込もうとする手差し給紙の動作が停止されることがある。
【０００７】
この状態で紙送りローラ１１を反時計回り方向に回転させても、突起１１ａを用紙１４に喰い込ませることができず、紙送りローラ１１が空転して、用紙１４を圧接ローラ１２との間まで搬送することができない虞があった。
突起１１ａが用紙１４の前端部１４ａに喰い込んだとしても、前端部１４ａのうねり等によって、突起１１ａを用紙１４に均一に喰い込ませることができなくて、用紙１４を搬送時に用紙１４に斜行等の障害が発生する虞があった。
本発明は、前述したような問題点に鑑みてなされたもので、紙送りローラの位置まで給紙されて来る用紙を、確実に紙送りローラと圧接ローラとの間に圧接狭持して高精度に印刷手段側に紙送りできるプリンタの紙送り機構を提供することを目的とする。
【０００８】
【課題を解決するための手段】
前記課題を解決するための第１の解決手段として本発明のプリンタの紙送り機構は、用紙（４）を搬送可能な紙送りローラ（１）と、この紙送りローラ（１）に圧接する圧接ローラ（２）と、前記用紙（４）を前記紙送りローラ（１）との間に案内可能な案内面（３ａ）を有する紙ガイド（３）とを備えた紙送り機構であって、
前記紙送りローラ（１）は、その外周面に複数の突起を有するグリップ部（１ａ）と前記突起の形成されてない非グリップ部（１ｂ）とが軸方向に交互に複数形成されるとともに、前記グリップ部（１ｂ）の外径より小さく形成され、前記ガイド部（３）は、前記紙送りローラ（１）の用紙搬送方向上流側に配置されるとともに、前記非グリップ部（１ｂ）と対向する部分の前記案内面（３ａ）を前記グリップ部（１ｂ）と対向する部分の前記案内面（３ａ）よりも前記紙送りローラ（１）側に近接するように突出させた突出部（３ｂ）を有し、この突出部（３ｂ）の先端部（３ｃ）が前記突起の頂部から外方に突出しないように配設した構成とした。
【０００９】
また、前記課題を解決するための第２の解決手段として、前記ガイド部（３）は、基部（６）と前記案内面（７ａ）を有する薄板状の部材（７）とで構成され、前記基部（６）の上面に前記薄板状の部材（７）を貼付し、前記薄板状の部材（７）の前記非グリップ部（１ｂ）と対向する部分に前記突出部（７ｂ）を形成した構成とした。
【００１０】
また、前記課題を解決するための第３の解決手段として、前記ガイド部（３）の前記案内面（３ａ）には、前記用紙（４）を前記案内面（３ａ）から浮かせた状態で指示する支持部（３ｄ）を有し、この支持部（３ｄ）は前記用紙（４）の搬送方向にすじ状に突出して複数形成した構成とした。
【００１１】
【発明の実施の形態】
以下、本発明のプリンタの紙送り機構を図１〜図５に基づいて説明する。まず本発明のプリンタの紙送り機構は、図３に示すような円柱形状で長尺な金属から成る紙送りローラ１が配設されている。
この紙送りローラ１は、外周面に図１に示すような、複数の微細な突起を有するグリップ部１ａが設けられ、このグリップ部１ａは、紙送りローラ１の外周面の軸方向に所定の幅寸法で複数、所定の間隔を有して形成されている。
【００１２】
前記グリップ部１ａの複数の突起は、紙送りローラ１の外周面にエッチング等によりそれぞれ形成されている。
また、それぞれのグリップ部１ａに挟まれた部分には、グリップ部１ａに形成されているような微細な突起のない非グリップ部１ｂが設けられている。
前記非グリップ部１ｂの外径Ａは、グリップ部１ａの外径Ｂより小さく形成されている。
【００１３】
前記紙送りローラ１の外周部には、コロ状の圧接ローラ２がグリップ部１ａと対向する位置にそれぞれ配設されている。前記圧接ローラ２は、取付部材２ａの端部に回転自在に取り付けられている。また、取付部材２ａは、図示を省略した弾性部材によって、紙送りローラ１側に弾性付勢されている。
そのために、圧接ローラ２は常時紙送りローラ１のグリップ部１ａの外周面に圧接状態になっている。
【００１４】
また、図２に示す紙送りローラ１の右側には、樹脂材料から成る紙ガイド３が配設されている。この紙ガイド３は、図示上部側に平坦状の案内面３ａが形成され、この案内面３ａには、用紙４を案内面３ａから浮かせた状態で支持する支持部３ｄが形成されている。この支持部３ｄは、用紙４の矢印Ｃの搬送方向にすじ状に突出して複数形成されている。
そのために、支持部３ｄ上を搬送される用紙４は、紙ガイド３との摩擦抵抗を小さくすることができ、紙送りローラ１に給紙される用紙４は、紙ジャム、あるいは斜行送り等の発生を防止することができる。
【００１５】
また、紙ガイド３は、図５に示すように、紙送りローラ１の非グリップ部１ｂと対向する部分の案内面３ａを非グリップ１ｂ側に突出させて形成した複数の突出部３ｂが一体化されて設けられている。
前記紙ガイド３は、図１に示すように、突出部３ｂの先端部３ｃがグリップ部１ａを構成する突起の頂部から外方に突出しないように、図示を省略したプリンタの本体部側に取り付けられて配設されている。
そして、先端部３ｃが非グリップ部１ｂの外周面に接近しているので、グリップ部１ａを構成する突起は、頂上部が突出部３ｂから微小に突出している。
【００１６】
前述のような、本発明のプリンタの紙送り機構に用紙４を給紙する動作を説明する。まず、給紙ローラ（図示せず）で用紙４を自動給紙するには、給紙トレー（図示せず）に収納している複数枚の用紙４の中から、給紙ローラにより最上部の用紙４を分離して、用紙搬送方向の下流側に搬送する。
すると、用紙４は、紙ガイド３の支持部３ｄ上を搬送され、図１に示すように、用紙４の前端部４ａが圧接ローラ２の外周面に当接して、給紙ローラによる自動給紙動作が終了する。
【００１７】
次に、図１の状態から紙送りローラ１を時計回り方向に回転させると、用紙４の前端部４ａは、グリップ部１ａと圧接ローラ２との間に圧接狭持される。そして、グリップ部１ａの突起の頂部が用紙４に喰い込んで、用紙４はスリップすることなく矢印Ｃの用紙搬送方向の下流側の印刷手段（図示せず）に搬送できる。
【００１８】
また、用紙４を本発明のプリンタの紙送り機構に手差し給紙するには、まず、操作者が用紙４を、手差し給紙部（図示せず）から紙ガイド３に手差し給紙すると、用紙４の前端部４ａは、支持部３ｄ上を抵抗なく移動して、突出部３ｂの先端部３ｃまで送られる。
すると、用紙４の前端部４ａがグリップ部１ａを構成する突起の頂部にぶつかるが、用紙４の前端部４ａは、操作者の手差し給紙する力で、突出部３ｂから微小に突出する突起の頂部上を滑って、ほとんど抵抗なく圧接ローラ２の外周面に当接する。
この状態で、前述したような自動給紙と同様に、紙送りローラ１を時計回り方向に回転させると、用紙４の前端部４ａがグリップ部１ａと圧接ローラ２との間に圧接狭持されると共に、用紙４を矢印Ｃの用紙搬送方向に搬送することができる。
【００１９】
また、用紙４にカラー印刷等を行うときは、図１に示す紙送りローラ１と圧接ローラ２との間に用紙４を圧接狭持した状態で、紙送りローラ１を図示時計回り方向に回転させて、用紙４を矢印Ｃの用紙搬送方向の下流側に搬送する動作と、紙送りローラ１を図示反時計回り方向に回転させて、用紙４を用紙搬送方向と反対方向の矢印Ｄ方向に戻すバックフィードの動作とを繰り返して、用紙４に所望のカラー画像を印刷することができる。
前記用紙ガイド３は、前記バックフィードの動作を考慮して、突出部３ｂの先端部３ｃが、紙送りローラ１１のグリップ部１ａを構成する突起の頂部が形成する外周円の水平方向の接線１ｃより若干下がった位置に配設されている。
そのために、カラー印刷時に用紙４をバックフィードしても、用紙４が紙ガイド３の先端部３ｃにぶつかるようなことがない。
【００２０】
本発明の実施の形態では、紙ガイド３に突出部３ｂを一体化したもので説明したが、その他の実施の形態として、図５に示すように、紙ガイド５は、基部６と、案内面７ａを有するフィルム状の薄板状の部材７とで構成されている。
そして、基部６の上面に薄板状の部材７を貼付し、紙送りローラ１の非グリップ部１ｂと対向する部分の薄板状の部材７に、突出部７ｂを形成したものでも良い。
【００２１】
また、本発明の実施の形態では、紙ガイド３の案内面３ａに、複数のすじ状の支持部３ｄを形成したもので説明したが、すじ状の支持部３ｄを形成しないで、案内面３ａを平坦状に形成したものでも良い。
【００２２】
【発明の効果】
以上述べたように、本発明のプリンタの紙送り機構は、紙送りローラの非グリップ部と対向する部分の案内面を非グリップ部側に突出させた突出部を紙ガイドに設け、前記突出部の先端部がグリップ部を構成する突起の頂部から外方に突出しないような位置に前記紙ガイドを配設したので、用紙の前端部に若干のうねり等があっても、手差し給紙、あるいは自動給紙のどちらの給紙方法を行っても、用紙を確実に紙送りローラと圧接ローラとの間に圧接狭持することができ、用紙を斜行送り等のない紙送りを行うことが可能なプリンタの紙送り機構を提供できる。
【００２３】
また、前記紙ガイドは、基部と前記案内面を有する薄板状の部材とで構成され、前記基部の上面に前記薄板状の部材を貼付し、前記非グリップ部と対向する部分の前記薄板状の部材に前記突出部を形成したので、案内面を有する薄板状の部材
を、基部と異なる摩擦抵抗の小さい材料で形成することができる。
また、突出部をフィルム状で薄板状の部材で形成することにより、突出部の先端部を紙送りローラの非グリップ部の外周面に当接するまで接近させることができる。そのために、用紙の前端部を、突起の頂部にぶつかることなく、更に確実に圧接ローラの外周面まで送ることができる。
【００２４】
また、前記紙ガイドの前記案内面には、前記用紙を前記案内面から浮かせた状態で前記用紙を支持する支持部を有し、この支持部は前記用紙の搬送方向にすじ状に突出して複数形成したので、紙ガイドまで給紙された用紙は、紙ガイドとの摩擦抵抗が小さくなって、用紙を手差し給紙する場合等に用紙の搬送抵抗を小さくできる。
【図面の簡単な説明】
【図１】本発明のプリンタの紙送り機構の要部拡大断面図である。
【図２】本発明のプリンタの紙送り機構の要部断面図である。
【図３】本発明のプリンタの紙送り機構の斜視図である。
【図４】本発明に係わる紙送りローラと紙ガイドの関係を説明する斜視図である。
【図５】本発明に係わるその他の実施の形態の要部拡大断面図である。
【図６】従来のプリンタの紙送り機構の要部拡大断面図である。
【図７】従来のプリンタの紙送り機構の要部断面図である。
【符号の説明】
１  紙送りローラ
１ａ  グリップ部
１ｂ  非グリップ部
２  圧接ローラ
３  紙ガイド
３ａ  案内面
３ｂ  突出部
３ｃ先端部
３ｄ支持部
４  用紙
４ａ  前端部
５  紙ガイド
６  基部
７  薄板状に部材
７ａ  案内面
７ｂ  突出部
【図１】
0003756027.tif 000002
【図２】
0003756027.tif 000003
【図３】
0003756027.tif 000004
【図４】
0003756027.tif 000005
【図５】
0003756027.tif 000006
【図６】
0003756027.tif 000007
【図７】
0003756027.tif 000008